(57)【特許請求の範囲】
【請求項１】
磁気記録層が形成された現像済みの写真フイルムを画像読取部に給送してコマ画像を読み取り、その画像をモニタテレビに表示するフイルム画像再生装置において、
写真フイルムを一定の速度で搬送するフイルム搬送手段と、
前記フイルム搬送手段によるフイルム搬送中前記写真フイルムに当接され、前記磁気記録層に所定の記録密度で記録された磁気情報を電気信号に変換する磁気ヘッドと、
前記磁気ヘッドから出力された電気信号のうち、復調に必要な三次高調波成分まで通過させるローパスフィルタで構成されるとともに、前記モニタテレビの水平同期信号周波数のノイズを除去するフィルタ手段と、
を備え、
前記磁気ヘッドから出力される前記電気信号の三次高調波成分が前記モニタテレビの水平同期信号周波数よりも小さくなるように前記記録密度及び前記フイルム搬送手段によるフイルム搬送速度が設定されていることを特徴とするフイルム画像再生装置。
【請求項２】
前記フィルタ手段は、前記ローパスフィルタと、前記モニタテレビの水平同期信号周波数のトラップ点をもつトラップフィルタとから構成されていることを特徴とする請求項１記載のフイルム画像再生装置。
【請求項３】
前記磁気記録層に記録される前記磁気情報の記録密度は、最大で４０ｂｐｍであり、前記フイルム搬送速度は、１２０ｍｍ／ｓｅｃであることを特徴とする請求項１又は２記載のフイルム画像再生装置。
【発明の詳細な説明】
【０００１】
【発明の属する技術分野】
本発明はフイルム画像再生装置に係り、特に、写真フイルムに形成された磁気記録層に記録された情報を読み取るとともに、フイルム上に記録された画像をモニタテレビの画面に表示するフイルム画像再生装置の磁気情報の再生技術に関する。
【０００２】
【従来の技術】
最近では、写真フイルムをオールプラスチック製のフイルムカートリッジに収納することにより、従来の１３５フイルムを収納したパトローネと比較して小型軽量化したＡＰＳ(Advanced Photo System) 対応のフイルムカートリッジが新聞等で提案されている。
【０００３】
このフイルムカートリッジは、引出口に開閉可能な遮光蓋がついていて未露光時はもとより撮影が終了した場合もフイルムリーダ部が全てカートリッジ内に巻き込まれて前記遮光蓋が閉じられている。使用時にカメラ等の機器に装填すると、前記遮光蓋が開放され、フイルムが送り出されるようになっている。
この写真フイルムには磁気記録層が形成されており、撮影時に又は撮影後に画面のアスペクト比（プリントタイプ）、撮影条件、焼増情報等を前記磁気記録層に記録することができるようになっている。そして、磁気記録層に記録された磁気情報を写真プリント作成時の条件設定に利用する方法が提案されている（特開平４−２２３４５４号公報、特開平５−１９３５９号公報）。また、フイルムに記録された磁気記録情報を再生する再生回路を備えたカメラも提案されている（特開平５−１０７６２６号公報、特開平５−１８１１９０号公報、特開平５−２０４０３７号公報）。
【０００４】
更に、現像済みスチル写真フイルムをＣＣＤ等のイメージセンサで撮像し、写真フイルムの画像を画像信号に変換し、これをモニタテレビに出力してフイルム画像を表示するフイルムプレーヤ（再生機）は、ＷＯ９０／０４３０１等において公知である。
【０００５】
【発明が解決しようとする課題】
フイルム再生機が設置される場所は通常モニタテレビの近くであり、磁気情報の読み取りは磁気ヘッドを介して行われる。磁気ヘッド及びヘッドアンプは非常に高感度であるため、モニタテレビより発する水平同期信号周波数（ｆｈ）のノイズが磁気再生信号に混入するという問題がある。即ち、磁気情報の記録密度とフイルム搬送速度の選び方によっては、磁気再生信号帯域とモニタテレビより発する水平同期信号周波数（ｆｈ）のノイズが重なり、磁気情報の読み取り性能が劣化する。
【０００６】
本発明はこのような事情に鑑みてなされたもので、モニタテレビより発する水平同期信号周波数（ｆｈ）のノイズを除去し、磁気情報の読み取りエラーの発生を低く抑えることができるフイルム画像再生装置を提供することを目的とする。
【０００７】
【課題を解決するための手段】
本発明は、前記目的を達成するために、磁気記録層が形成された現像済みの写真フイルムを画像読取部に給送してコマ画像を読み取り、その画像をモニタテレビに表示するフイルム画像再生装置において、写真フイルムを一定の速度で搬送するフイルム搬送手段と、
前記フイルム搬送手段によるフイルム搬送中前記写真フイルムに当接され、前記磁気記録層に所定の記録密度で記録された磁気情報を電気信号に変換する磁気ヘッドと、前記磁気ヘッドから出力された電気信号のうち、復調に必要な三次高調波成分まで通過させるローパスフィルタで構成されるとともに、前記モニタテレビの水平同期信号周波数のノイズを除去するフィルタ手段と、を備え、前記磁気ヘッドから出力される前記電気信号の三次高調波成分が前記モニタテレビの水平同期信号周波数よりも小さくなるように前記記録密度及び前記フイルム搬送手段によるフイルム搬送速度が設定されていることを特徴としている。
【０００８】
本発明によれば、現像済み写真フイルムをフイルム搬送手段で一定の速度で搬送し、その搬送中磁気ヘッドを介して磁気記録層に記録されている磁気情報を読み取る。磁気ヘッドは磁気情報に応じた電気信号を出力するが、この磁気再生信号の帯域は、記録密度とフイルム搬送速度で規定される。従って、記録密度とフイルム搬送速度の選択に応じて磁気再生信号の帯域が設定される。このようにして磁気ヘッドから出力された電気信号のうち、復調に必要な三次高調波成分までをフィルタ手段によって通過させ、それ以外の高周波ノイズ及びモニタテレビから発する水平同期信号周波数のノイズはフィルタ手段で遮断する。これにより、磁気ヘッドから出力される電気信号の三次高調波成分までをモニタテレビの水平同期信号周波数の影響を受けること無く利用でき、磁気情報の読取エラーの発生確率を低く抑えることができる。
【０００９】
また、前記磁気ヘッドから出力される電気信号の三次高調波成分が、前記モニタテレビの水平同期信号周波数よりも小さくなるように記録密度及びフイルム搬送速度を設定し、磁気再生信号の三次高調波成分を超える帯域をローパスフィルタで遮断することにより、モニタテレビの水平同期信号周波数のノイズを効果的に除去できる。
【００１０】
更に、ローパスフィルタではモニタテレビの水平同期信号周波数のノイズを完全に除去しきれない場合には、ローパスフィルタに加え前記水平同期信号周波数にトラップ点をもつトラップフィルタを併用することによってかかるノイズを除去することが有効である。
【００１１】
【発明の実施の形態】
以下添付図面に従って本発明に係るフイルム画像再生装置の好ましい実施の形態について詳説する。
図１は本発明に係るフイルム画像再生装置が適用フイルムプレーヤを含むシステム全体の概略構成を示す斜視図である。同図に示すように、フイルムプレーヤ１００は直方体状に形成され、その前面には「電源」キー１、「取出し」キー２、「セレクト」キー３、「メニュー」キー４、カートリッジバケットドア５、リモコン受光部６、「リバース」キー７、「ズーム」キー８、「実行／プレイ」キー９が設けられている。カートリッジバケットドア５は、フイルムカートリッジ（図２参照）の挿入、取出し時に矢印Ａ方向に開かれ、これによりフイルムカートリッジの挿入または取出しが行われる。
【００１２】
このフイルムプレーヤ１００にはモニタテレビ１０９が接続され、フイルムプレーヤ１００からは信号ケーブル１０８を介して映像信号及びオーディオ信号がモニタテレビ１０９に出力される。また、フイルムプレーヤ１００は付属のリモコン１２０を有しており、リモコン受光部６を介してリモコン１２０からの赤外リモコン信号を受信できるようになっている。尚、リモコン１２０の各キーのうち、フイルムプレーヤ１００の前面のキーと同じ機能をもつものには同一の符号が付してある。また、１０は「×２」キー、１１は「スキップ」キー、１２は「回転」キー、１３は「データ表示」キーである。
【００１３】
このフイルムプレーヤ１００に適用されるフイルムカートリッジ１１０は、図２に示すように単一のスプール１１２を有し、このスプール１１２に写真フイルム１１４が巻回されている。写真フイルム１１４には、各コマの位置を示すパーフォレーション１１４Ａ、１１４Ａ…が穿設されるとともに、フイルム全面には透明磁気記録層が設けられており、フイルムの縁部に磁気情報を記録する磁気記録部１１４Ｂ、１１４Ｃ、１１４Ｃ…が形成されるようになっている。
【００１４】
前記磁気記録部１１４Ｂ、１１４Ｃ…には、磁気ヘッドを有するカメラによってコマ毎の撮影データ等各種情報を示す磁気データが記録できるようになっている。記録される磁気データとしては、例えば、ハイビジョン画像、パノラマ画像及び通常画像等のアスペクト比を示すプリントタイプ、撮影日時、写し込まれる画像の天地左右、絞りシャッタースピード等を示すデータが考えられるが、その他、カメラによって多数種類のデータを記録することができる。
【００１５】
また、前記写真フイルム１１４には、被写体光によって露光されるコマ領域以外にフイルムタイプ、コマ番号等を示すバーコードや、撮影時にカメラ内蔵の光源によってプリントタイプ等を示すデータを光学的に記録することができる。そして、現像処理された写真フイルム１１４はフイルムカートリッジ１１０に巻き取られ、これにより保管できるようになっている。
【００１６】
図３は上記フイルムプレーヤ１００の内部構成の一実施の形態を示すブロック図である。このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
【００１７】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられる。このフイルム駆動の詳細については後述する。
【００１８】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００１９】
尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施の形態では標準のフイルム画像を取り込む時の給送速度の１／２倍、１倍、８倍、１６倍の各速度における画素数は、１７９２画素、８９６画素、１１２画素、５６画素である。
【００２０】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００２１】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。
第２信号処理回路１５２はマトリクス回路を有し、入力するＲ，Ｇ，Ｂ信号に基づいて輝度信号Ｙ及びクロマ信号Ｃr/b を生成し、これらをメモリ制御回路１５４に出力する。
【００２２】
メモリ制御回路１５４は、上記輝度信号Ｙ及びクロマ信号Ｃr/b のＣＣＤバッファＭ１への書込み／読出しを制御するとともに、ＣＣＤバッファＭ１に記憶された輝度信号Ｙ及びクロマ信号Ｃr/b の表示バッファＭ２への書込み／読出しを制御する。
メモリ制御回路１５４によって表示バッファＭ２から読み出される輝度信号Ｙ及びクロマ信号Ｃr/b は、第３信号処理回路１５３に加えられる。第３信号処理回路１５３は、入力する輝度信号Ｙ及びクロマ信号Ｃr/b に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５３及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２３】
フイルム駆動メカ１７０は、フイルムカートリッジ１１０のスプール１１２の軸と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回転方向に駆動し、フイルム先端がフイルム巻取部によって巻き取られるまでフイルムカートリッジ１１０からフイルム１１４を送り出すようにしている。
【００２４】
光学データ読取装置１８０は、フイルム１１４のパーフォレーション１１４Ａ…を光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２５】
磁気記録再生装置１８２は磁気ヘッド１８２Ａを含み、前記フイルム駆動メカでフイルムを一定速度で搬送中に、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂ、１１４Ｃ…に記録する。
【００２６】
上記磁気情報は、図４に示すようなデジタル信号でフイルムの磁気記録部（磁気トラック）１１４Ｂ、１１４Ｃ、１１４Ｃ…に磁気記録される。同図負のパルスは、等間隔で記録されるクロックパルスで、磁気情報の読み取りの際の同期信号として使用される。同図正のパルスは０又は１を示すデータパルスで各クロックパルスの間に記録される。クロックパルス間の中間位置より前方に記録されたデータパルスは１を示し、クロックパルス間の中間位置より後方に記録されたデータパルスは０を示す。
【００２７】
図５には、磁気再生装置の構成が示されている。同図に示すように磁気再生装置は、磁気ヘッド２０２（図３に示した符号１８２Ａに相当）、ヘッドアンプ２０４、ローパスフィルタ（ＬＰＦ）２０６、トラップフィルタ２０８、及び再生信号処理回路２１０から構成される。
磁気ヘッド２０２は、写真フイルム１１４の搬送中に写真フイルムの磁気記録層に当接し、写真フイルム１１４の磁気記録層１１４Ｂ、１１４Ｃ…に記録された磁気信号に応じた電気信号を出力する。
【００２８】
写真フイルム１１４の磁気記録層１１４Ｂ、１１４Ｃ…に記録される磁気情報の記録密度は最大で４０ｂｐｍ（bit par millimeter) であり、十分な磁気再生出力を得るために、フイルム搬送速度は１２０ｍｍ／ｓｅｃに設定される。
磁気ヘッド２０２から出力された電気信号は、ヘッドアンプ２０４によって所定振幅に増幅され、ローパスフィルタ２０６に出力される。ローパスフィルタ２０６は、データの復調の為に必要な三次高調波成分までを通過させ、それ以外の帯域を除去する特性を有したものが用いられている。このローパスフィルタのカットオフ周波数の設定と前記フイルム搬送速度の関係については後述する。
【００２９】
トラップフィルタ２０８は、特定の周波数を除去するフィルタであり、モニタテレビ１０９の水平同期信号周波数ｆｈにトラップ点が設定されている。ローパスフィルタ２０６によってノイズの高周波成分が除去された信号は、トラップフィルタ２０８に加えられ、モニタテレビの水平同期信号周波数ｆｈのノイズ成分が除去される。
【００３０】
ローパスフィルタ２０６及びトラップフィルタ２０８によりノイズが除去された信号は、再生信号処理回路２１０に加えられ、該再生信号処理回路２１０によってクロックパルスとデータパルスとに分離される。そして、クロックパルスとデータパルスとのタイミングに基づいてデータの値が読み取られる。これにより、フイルムの磁気記録層１１４Ｂ、１１４Ｃ、…に記録されている磁気情報の内容を検知することができる。
【００３１】
次に、ローパスフィルタのカットオフ周波数の設定とフイルム搬送速度の関係ついて説明する。
一般に、磁気情報の読み取り性能は磁気再生信号のＳ／Ｎに大きく依存しており、Ｓ／Ｎが悪い場合には読取エラーの発生確率が高くなる。一方、フイルム搬送速度とＳ／Ｎの関係は、搬送速度が大きいほど再生出力が大きくなりＳ／Ｎには有利である。その反面、搬送速度があまり大きくなるとフイルムのダメージも大きくなるうえ、フイルム搬送速度を安定的に一定に保つのが困難となる。
【００３２】
記録密度が最大の４０ｂｐｍの場合、フイルム搬送速度が１００ｍｍ／ｓｅｃより低速では、磁気再生の信号自体のＳ／Ｎが悪くなり、１４０ｍｍ／ｓｅｃよりも高速では、搬送時にフイルムに傷が付きやすくなることが実験により確かめられている。
一方、データの復調の為に必要な三次高調波成分までを含む磁気再生信号帯域は、図６に示すようにフイルムの搬送速度により変化する。即ち、フイルム搬送速度が１００ｍｍ／ｓｅｃの場合で〜１２．０ｋｈｚ、フイルム搬送速度が１２０ｍｍ／ｓｅｃの場合で〜１４．４ｋｈｚ、フイルム搬送速度が１４０ｍｍ／ｓｅｃの場合で〜１６．８ｋｈｚとなる。
【００３３】
フイルム搬送速度を１４０ｍｍ／ｓｅｃに設定すると、再生出力が大きくなりＳ／Ｎには有利であるが、信号帯域が広くなり帯域内の特定周波数、即ち、モニタテレビの水平同期信号周波数（ｆｈ≒１５．７ｋｈｚ）に大きなノイズが存在し、結果的にＳ／Ｎ低下する。つまり、このフイルムプレーヤ１００は、図１に示したようにモニタテレビ１０９の近くに設置されるものであり、モニタテレビ１０９の水平同期信号周波数（ｆｈ）は約１５．７ｋｈｚであるため、信号帯域が広くなると磁気再生信号にモニタテレビ１０９から発する水平同期信号周波数（ｆｈ）のノイズが混入する。かかる観点から、フイルム搬送速度は１２０ｍｍ／ｓｅｃに設定され、三次高調波成分を含む信号帯域内にモニタテレビ１０９の水平同期信号周波数（ｆｈ）が重畳しないようになっている。
【００３４】
磁気ヘッド２０２から出力された電気信号は、ヘッドアンプ２０４によって所定振幅に増幅され、ローパスフィルタ（ＬＰＦ）２０６に出力される。ヘッドアンプ２０４から出力された信号は、ローパスフィルタ２０６によってノイズの高周波成分が除去される。ローパスフィルタ２０６のカットオフ周波数は、フイルム給送速度１２０ｍｍ／ｓｅｃの場合の電気信号の三次高調波成分よりも大きく、且つ、モニタテレビ１０９の水平同期信号周波数（ｆｈ）よりも小さいものが選択されている。
【００３５】
図７にはローパスフィルタ２０６の特性が示されている。通常、カットオフ周波数を超える周波数を完全に除去する急峻なローパスフィルタ２０６を形成するのは困難で、カットオフ周波数の近傍に存在するモニタテレビ１０９の水平同期信号周波数（ｆｈ）の大きなノイズは、ローパスフィルタ２０６では完全に除去しきれない。
【００３６】
従って、ローパスフィルタ２０６に加えてモニタテレビの水平同期信号周波数をトラップ点とするトラップフィルタ２０８を設け、両者を併用することによって、図８に示すような周波数特性を形成している。これにより、モニタテレビ１０９の発する水平同期信号周波数のノイズを効果的に除去することができる。
続いて、上記の如く構成されたフイルム画像再生装置の作用について説明する。
【００３７】
写真フイルム１１４の磁気記録層１１４Ｂ、１１４Ｃ…に記録された磁気情報を再生する際、まず、フイルム駆動メカを作動させ、写真フイルム１１４を一定速度で搬送させる。これによって写真フイルム１１４のリーダトラック（図２に示した符号１１４Ｂ）が磁気ヘッド２０２の位置を通過し、リーダートラックに記録された信号の再生を開始する。
【００３８】
上記写真フイルム１１４の磁気記録層１１４Ｂ、１１４Ｃ…に磁気記録された信号は、磁気ヘッド２０２によって電気信号として再生され、ヘッドアンプ２０４で増幅される。ヘッドアンプ２０４から出力されるデジタル信号は、正と負のデータパルスとクロックパルスから成るが、この磁気再生信号の波形には各種ノイズ成分の波形が重畳されている。特に、モニタテレビ１０９から発する水平同期信号周波数のノイズ成分が存在している。
【００３９】
ヘッドアンプ２０４から出力されたノイズ成分を含む磁気再生信号はローパスフィルタ２０６に出力され、ローパスフィルタ２０６によって、そのノイズの高周波成分が除去される。このとき、水平同期信号周波数（ｆｈ）のノイズ成分も低減されるが、前述したとおりカットオフ周波数近傍のｆｈのノイズはローパスフィルタ２０６だけでは完全に除去しきれない。従って、ローパスフィルタ２０６に続くトラップフィルタ２０８によってモニタテレビの水平同期信号周波数のノイズを完全に除去している。このときトラップフィルタ２０８から出力される信号の波形の一例を図９（Ａ）に示す。
【００４０】
その後、磁気再生信号は再生処理回路２１０に加えられ、信号に含まれるデータパルスとクロックパルスのうち、図９（Ｂ）に示すデータパルスと、図９（Ｃ）に示すクロックパルスが抽出される。そして、図９の（Ｄ）に示すように、クロックパルスのＨｉｇｈレベルの信号が入力されてからクロックパルスの２分の１周期より前にデータパルスが入力された場合には０のデータと判断し、クロックパルスのＨｉｇｈレベルの信号が入力されてからクロックパルスの２分の１周期より後にデータパルスが入力された場合には１のデータと判断する。これにより、写真フイルム１１４の磁気記録層１１４Ｂ、１１４Ｃ…に記録されているデータの値を読み取ることができ、磁気情報の内容を検知することができる。
【００４１】
上記実施の形態では、ローパスフィルタとトラップフィルタとの組み合わせによって、データ復調に必要な三次高調波成分までの信号を確保するとともに、モニタテレビ１０９から発する水平同期信号周波数のノイズの影響を除去する場合について説明したが、これに限らず、三次高調波成分が水平同期信号周波数よりも小さくなるように、記録密度とフイルム搬送速度を設定するとともに、三次高調波成分までを通過させ、それ以外の不要な帯域の信号を完全に除去できる急峻なローパスフィルタを用いることによって同等の効果を達成することが可能である。
【００４２】
以上説明したように本発明に係るフイルム画像再生装置によれば、写真フイルムを一定の速度で搬送中、磁気ヘッドを介してフイルムの磁気記録層に記録されている磁気信号を読み取る場合、磁気ヘッドから出力される電気信号のうち三次高調波成分までをフィルタ手段によって通過させ、それ以外の高周波ノイズ及びモニタテレビから発する水平同期信号周波数のノイズはフィルタ手段で遮断するようにしたので、モニタテレビの近くに設置される場合でも、モニタテレビの水平同期信号周波数のノイズの影響を受けること無く、復調に必要な三次高調波成分までを有効に利用できる。これにより、磁気情報の読取エラーの発生確率を低く抑えることができる。
【００４３】
また、磁気ヘッドから出力される電気信号の三次高調波成分がモニタテレビの水平同期信号周波数よりも小さくなるなるように記録密度及びフイルム搬送速度を設定し、磁気再生信号の三次高調波成分を越える帯域をローパスフィルタで遮断することにより、モニタテレビの水平同期信号周波数のノイズを効果的に除去できる。更にまた、ローパスフィルタと共に前記水平同期信号周波数にトラップ点をもつトラップフィルタを設けることににより、ローパスフィルタでは完全に除去しきれないモニタテレビの水平同期信号周波数のノイズを効果的に除去することができる。
【図面の簡単な説明】
【図１】  図１は、本発明に係るフイルム画像再生装置が適用フイルムプレーヤを含むシステム全体の概略構成を示す斜視図
【図２】  図２は、図１に示したフイルムプレーヤに適用される写真フイルムの形態を示す図
【図３】  図３は、フイルムプレーヤの内部構成の一実施の形態を示すブロック図
【図４】  図４は、写真フイルムに記録されるデジタル信号の一例を示した図
【図５】  図５は、磁気再生装置の構成を示すブロック図
【図６】  図６は、フイルム搬送速度と磁気再生信号帯域の関係を示すグラフ
【図７】  図７は、ローパスフィルタの特性を示すグラフ
【図８】  図８は、ローパスフィルタとトラップフィルタを併用した場合の周波数特性を示すグラフ
【図９】  図９は、ノイズ除去後の磁気再生信号の処理を説明するためのタイミングチャートであり、（Ａ）はトラップフィルタの出力、（Ｂ）はデータパルス、（Ｃ）はクロックパルス、（Ｄ）はデータパルスの「０」又は「１」を検知するためのデューティ５０％のクロックパルスを示すチャート
【符号の説明】
１００…フイルムプレーヤ（フイルム画像再生装置）
１０９…モニタテレビ
１１０…フイルムカートリッジ
１１４…写真フイルム
１１４Ｂ、１１４Ｃ…磁気記録部
１３０…光源
１３６…レンズ
１４２…ＣＣＤラインセンサ
１６０…ＣＰＵ
１７０…フイルム駆動メカ
１８２…磁気記録再生装置
１８２Ａ、２０２…磁気ヘッド
２０６…ローパスフィルタ
２０８…トラップフィルタ
【図１】
0003719457.tif 000002
【図２】
0003719457.tif 000003
【図３】
0003719457.tif 000004
【図４】
0003719457.tif 000005
【図５】
0003719457.tif 000006
【図６】
0003719457.tif 000007
【図７】
0003719457.tif 000008
【図８】
0003719457.tif 000009
【図９】
0003719457.tif 000010